(57)【要約】【課題】消費電力を低く抑えることの可能な表示装置およびその駆動方法ならびに電子機器を提供する。【解決手段】表示パネル１０は、有機ＥＬ素子１１（１１Ｒ，１１Ｇ，１１Ｂ）および画素回路１３を含む複数の表示画素１５が２次元配置された表示領域１０Ａと、有機ＥＬ素子１２（１２Ｒ，１２Ｇ，１２Ｂ）および画素回路１６を含む１つの調整用画素１８が配置された非表示領域１０Ｂを有する。信号線駆動回路２３は、調整用画素１８に対応する信号線ＤＴＬに対して、映像信号処理回路２２で発光色ごとに抽出された最大輝度となる映像信号２２Ａを出力する。電源電圧調整回路２６は、有機ＥＬ素子１２の電圧変動に応じた値の電源電圧を発光色ごとに導出し、導出した発光色ごとの電源電圧の中から最も大きな値の電源電圧を抽出し、抽出した電源電圧を、各表示画素１５に印加する。【選択図】図１
2011123213.tif 000002
【特許請求の範囲】
【請求項１】
発光色の互いに異なる複数種類の表示画素が配置された表示領域と、前記表示画素の発光色と同一種類の色光を発する複数種類の調整用画素が配置された非表示領域とを有する表示部と、
映像信号に基づいて各表示画素を駆動する駆動部と
を備え、
前記調整用画素は、発光素子を含み、
前記駆動部は、前記複数種類の調整用画素に含まれる発光素子の電圧変動に応じた値の電源電圧を発光色ごとに導出し、導出した発光色ごとの電源電圧を、前記複数種類の表示画素および前記複数種類の調整用画素のうち少なくとも各表示画素に、発光色ごとに対応させて印加する
表示装置。
【請求項２】
前記駆動部は、１フィールドの映像信号の中で最大輝度となる映像信号である最大映像信号を発光色ごとに導出し、導出した発光色ごとの最大映像信号に基づいて前記調整用画素を駆動する
請求項１に記載の表示装置。
【請求項３】
前記駆動部は、１フィールドの映像信号の中で最大輝度となる映像信号である最大映像信号を１水平期間ごとに発光色ごとに導出し、導出した発光色ごとの最大映像信号に基づいて前記調整用画素を駆動する
請求項２に記載の表示装置。
【請求項４】
前記駆動部は、前記調整用画素に含まれる発光素子の電圧と、基準電圧とを対比することにより、前記調整用画素に含まれる発光素子の電圧変動量を発光色ごとに導出し、前記電圧変動量に応じた値の電源電圧を、前記複数種類の表示画素および前記複数種類の調整用画素のうち少なくとも各表示画素に、発光色ごとに対応させて印加する
請求項１ないし請求項３のいずれか一項に記載の表示装置。
【請求項５】
前記調整用画素は、前記発光素子に流れる電流を制御する第１トランジスタと、前記映像信号に応じた信号電圧を前記第１トランジスタのゲートに書き込む第２トランジスタとを有し、
前記駆動部は、前記電圧変動量を用いて、前記第１トランジスタを飽和領域で駆動させるのに必要な電源電圧値を導出し、導出した電源電圧値の電源電圧を、前記複数種類の表示画素および前記複数種類の調整用画素のうち少なくとも各表示画素に、発光色ごとに対応させて印加する
請求項４に記載の表示装置。
【請求項６】
前記調整用画素は、前記発光素子に流れる電流を制御する第１トランジスタと、前記映像信号に応じた信号電圧を前記第１トランジスタのゲートに書き込む第２トランジスタとを有し、
前記第１トランジスタのソースおよびドレインのいずれか一方は前記発光素子に接続され、
前記第１トランジスタのソースおよびドレインのうち前記発光素子に非接続の方は前記電源電圧が供給される部材に接続されている
請求項１ないし請求項３のいずれか一項に記載の表示装置。
【請求項７】
発光色の互いに異なる複数種類の表示画素が配置された表示領域と、前記表示画素の発光色と同一種類の色光を発する複数種類の調整用画素が配置された非表示領域とを有する表示部と、
映像信号に基づいて各表示画素を駆動する駆動部と
を備え、
前記調整用画素は、発光素子を含み、
前記駆動部は、前記複数種類の調整用画素に含まれる発光素子の電圧変動に応じた値の電源電圧を発光色ごとに導出し、導出した発光色ごとの電源電圧の中から最も大きな値の電源電圧を抽出し、抽出した電源電圧を、前記複数種類の表示画素および前記複数種類の調整用画素のうち少なくとも各表示画素に印加する
表示装置。
【請求項８】
発光色の互いに異なる複数種類の表示画素が配置された表示領域と、前記表示画素の発光色と同一種類の色光を発する複数種類の調整用画素が配置された非表示領域とを有する表示部と、映像信号に基づいて各表示画素を駆動する駆動部とを備え、かつ調整用画素が発光素子を含む表示装置において、前記複数種類の調整用画素に含まれる発光素子の電圧変動に応じた値の電源電圧を発光色ごとに導出し、導出した発光色ごとの電源電圧を、前記複数種類の表示画素および前記複数種類の調整用画素のうち少なくとも各表示画素に、発光色ごとに対応させて印加するステップを含む
表示装置の駆動方法。
【請求項９】
発光色の互いに異なる複数種類の表示画素が配置された表示領域と、前記表示画素の発光色と同一種類の色光を発する複数種類の調整用画素が配置された非表示領域とを有する表示部と、映像信号に基づいて各表示画素を駆動する駆動部とを備え、かつ調整用画素が発光素子を含む表示装置において、前記複数種類の調整用画素に含まれる発光素子の電圧変動に応じた値の電源電圧を発光色ごとに導出し、導出した発光色ごとの電源電圧の中から最も大きな値の電源電圧を抽出し、抽出した電源電圧を、前記複数種類の表示画素および前記複数種類の調整用画素のうち少なくとも各表示画素に印加するステップを含む
表示装置の駆動方法。
【請求項１０】
表示装置を備え、
前記表示装置は、
発光色の互いに異なる複数種類の表示画素が配置された表示領域と、前記表示画素の発光色と同一種類の色光を発する複数種類の調整用画素が配置された非表示領域とを有する表示部と、
映像信号に基づいて各表示画素を駆動する駆動部と
を有し、
前記調整用画素は、発光素子を含み、
前記駆動部は、前記複数種類の調整用画素に含まれる発光素子の電圧変動に応じた値の電源電圧を発光色ごとに導出し、導出した発光色ごとの電源電圧を、前記複数種類の表示画素および前記複数種類の調整用画素のうち少なくとも各表示画素に、発光色ごとに対応させて印加する
電子機器。
【請求項１１】
表示装置を備え、
前記表示装置は、
発光色の互いに異なる複数種類の表示画素が配置された表示領域と、前記表示画素の発光色と同一種類の色光を発する複数種類の調整用画素が配置された非表示領域とを有する表示部と、
映像信号に基づいて各表示画素を駆動する駆動部と
を有し、
前記調整用画素は、発光素子を含み、
前記駆動部は、前記複数種類の調整用画素に含まれる発光素子の電圧変動に応じた値の電源電圧を発光色ごとに導出し、導出した発光色ごとの電源電圧の中から最も大きな値の電源電圧を抽出し、抽出した電源電圧を、前記複数種類の表示画素および前記複数種類の調整用画素のうち少なくとも各表示画素に印加する
電子機器。
【発明の詳細な説明】
【技術分野】
【０００１】
本発明は、表示パネルに発光素子が設けられた表示装置およびその駆動方法に関する。また、本発明は、上記表示装置を備えた電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて、薄型化、高輝度化することができる。特に、駆動方式としてアクティブマトリクス方式を用いた場合には、各画素をホールド点灯させることができ、低消費電力化することもできる。そのため、有機ＥＬ表示装置は、次世代のフラットパネルディスプレイの主流になると期待されている。
【０００３】
有機ＥＬ素子は、電流駆動型の発光素子であり、有機ＥＬ素子に流れる電流量を制御することにより階調を調整することの可能な素子である。しかし、有機ＥＬ素子は、通電時間や素子温度に応じてＩ−Ｖ特性が変化する性質を有している。そのため、Ｉ−Ｖ特性が経時的に変化した場合であっても一定の輝度を得ることができるようにするために、有機ＥＬ素子に流れる電流量を制御する駆動トランジスタは常に飽和領域で駆動される（特許文献１参照）。
【先行技術文献】
【特許文献】
【０００４】
【特許文献１】特開２００１−６００７６号公報
【発明の概要】
【発明が解決しようとする課題】
【０００５】
ところで、有機ＥＬ素子のＩ−Ｖ特性が経時的に変動する状況下で、駆動トランジスタを常に飽和領域で駆動させるためには、電源電圧を、有機ＥＬ素子のＩ−Ｖ特性が変動したときに駆動トランジスタが線形駆動とはならない程度に十分に高い値に設定しておくことが必要となる。例えば、有機ＥＬ素子のＩ−Ｖ特性の変動によって有機ＥＬ素子の端子間電圧が２Ｖ程度大きくなることが予想される場合には、あらかじめ、電源電圧を、２Ｖ程度の余裕を持った電圧値に設定することが考えられる。しかし、電源電圧にあらかじめマージンを持たせた場合には、そのマージンの分だけ消費電力が余分に高くなってしまうという問題があった。
【０００６】
本発明はかかる問題点に鑑みてなされたものであり、その目的は、消費電力を低く抑えることの可能な表示装置およびその駆動方法ならびに電子機器を提供することにある。
【課題を解決するための手段】
【０００７】
本発明による第１の表示装置は、発光色の互いに異なる複数種類の表示画素が配置された表示領域と、表示画素の発光色と同一種類の色光を発する複数種類の調整用画素が配置された非表示領域とを有する表示部と、映像信号に基づいて各表示画素を駆動する駆動部とを備えたものである。ここで、調整用画素は、発光素子を含んで構成されている。また、駆動部は、複数種類の調整用画素に含まれる発光素子の電圧変動に応じた値の電源電圧を発光色ごとに導出し、導出した発光色ごとの電源電圧を、複数種類の表示画素および複数種類の調整用画素のうち少なくとも各表示画素に、発光色ごとに対応させて印加するようになっている。
【０００８】
本発明による第１の電子機器は、上記第１の表示装置を備えたものである。
【０００９】
本発明による第１の表示装置の駆動方法は、発光色の互いに異なる複数種類の表示画素が配置された表示領域と、表示画素の発光色と同一種類の色光を発する複数種類の調整用画素が配置された非表示領域とを有する表示部と、映像信号に基づいて各表示画素を駆動する駆動部とを備え、かつ調整用画素が発光素子を含む表示装置において、以下のステップを含むものである。
（１）複数種類の調整用画素に含まれる発光素子の電圧変動に応じた値の電源電圧を発光色ごとに導出し、導出した発光色ごとの電源電圧を、複数種類の表示画素および複数種類の調整用画素のうち少なくとも各表示画素に、発光色ごとに対応させて印加するステップ
【００１０】
本発明による第１の表示装置およびその駆動方法ならびに第１の電子機器では、複数種類の調整用画素に含まれる発光素子の電圧変動に応じた値の電源電圧が発光色ごとに導出され、導出された発光色ごとの電源電圧が、複数種類の表示画素および複数種類の調整用画素のうち少なくとも各表示画素に、発光色ごとに対応させて印加される。これにより、あらかじめ、電源電圧に、予想される発光素子の電圧変動の分だけ余裕を持たせた場合と比べて、電源電圧の値を小さく設定することができる。
【００１１】
本発明による第２の表示装置は、発光色の互いに異なる複数種類の表示画素が配置された表示領域と、表示画素の発光色と同一種類の色光を発する複数種類の調整用画素が配置された非表示領域とを有する表示部と、映像信号に基づいて各表示画素を駆動する駆動部とを備えたものである。ここで、調整用画素は、発光素子を含んで構成されている。また、駆動部は、複数種類の調整用画素に含まれる発光素子の電圧変動に応じた値の電源電圧を発光色ごとに導出し、導出した発光色ごとの電源電圧の中から最も大きな値の電源電圧を抽出し、抽出した電源電圧を、複数種類の表示画素および複数種類の調整用画素のうち少なくとも各表示画素に印加するようになっている。
【００１２】
本発明による第２の電子機器は、上記第２の表示装置を備えたものである。
【００１３】
本発明による第２の表示装置の駆動方法は、発光色の互いに異なる複数種類の表示画素が配置された表示領域と、表示画素の発光色と同一種類の色光を発する複数種類の調整用画素が配置された非表示領域とを有する表示部と、映像信号に基づいて各表示画素を駆動する駆動部とを備え、かつ調整用画素が発光素子を含む表示装置において、以下のステップを含むものである。
（１）複数種類の調整用画素に含まれる発光素子の電圧変動に応じた値の電源電圧を発光色ごとに導出し、導出した発光色ごとの電源電圧の中から最も大きな値の電源電圧を抽出し、抽出した電源電圧を、複数種類の表示画素および複数種類の調整用画素のうち少なくとも各表示画素に印加するステップ
【００１４】
本発明による第２の表示装置およびその駆動方法ならびに第２の電子機器では、複数種類の調整用画素に含まれる発光素子の電圧変動に応じた値の電源電圧が発光色ごとに導出される。導出された発光色ごとの電源電圧の中から最も大きな値の電源電圧が抽出され、抽出された電源電圧が、複数種類の表示画素および複数種類の調整用画素のうち少なくとも各表示画素に印加される。これにより、あらかじめ、電源電圧に、予想される発光素子の電圧変動の分だけ余裕を持たせた場合と比べて、電源電圧の値を小さく設定することができる。
【発明の効果】
【００１５】
本発明による第１および第２の表示装置およびそれらの駆動方法ならびに第１および第２の電子機器によれば、あらかじめ、電源電圧に、予想される発光素子の電圧変動の分だけ余裕を持たせた場合と比べて、電源電圧の値を小さく設定することができるようにした。これにより、消費電力を低く抑えることができる。
【図面の簡単な説明】
【００１６】
【図１】本発明による一実施の形態に係る表示装置の構成の一例を表す概略図である。
【図２】表示領域内の画素回路の構成の一例を表す概略図である。
【図３】非表示領域内の画素回路の構成の一例を表す概略図である。
【図４】図１の表示パネルの構成の一例を表す上面図である。
【図５】電源線駆動回路の構成の一例を表す概略図である。
【図６】電源電圧調整回路の構成の一例を表す概略図である。
【図７】駆動トランジスタの飽和領域と、階調との関係の一例を表す関係図である。
【図８】表示画面内の階調の一例と、１フィールド期間内の映像信号の一例を表す模式図である。
【図９】電源電圧と、有機ＥＬ素子の電圧および駆動トランジスタのドレイン−ソース間電圧との関係の一例を表す関係図である。
【図１０】パネル温度と有機ＥＬ素子の電圧との関係の一例を表す関係図である。
【図１１】有機ＥＬ素子の通電時間と、有機ＥＬ素子の電圧変動量との関係の一例を表す関係図である。
【図１２】図１の表示装置の構成の他の例を表す概略図である。
【図１３】図１２の電源電圧調整回路の構成の一例を表す概略図である。
【図１４】図１２の非表示領域内の画素回路の構成の一例を表す概略図である。
【図１５】図１の表示装置の構成のその他の例を表す概略図である。
【図１６】図１２の表示装置の構成の他の例を表す概略図である。
【図１７】図１５、図１６の電源線駆動回路の構成の一例を表す概略図である。
【図１８】上記実施の形態の発光装置の適用例１の外観を表す斜視図である。
【図１９】（Ａ）は適用例２の表側から見た外観を表す斜視図であり、（Ｂ）は裏側から見た外観を表す斜視図である。
【図２０】適用例３の外観を表す斜視図である。
【図２１】適用例４の外観を表す斜視図である。
【図２２】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１７】
以下、発明を実施するための形態について、図面を参照して詳細に説明する。なお、説明は以下の順序で行う。
１．実施の形態(図１〜図１１)
２．変形例(図１２〜図１７)
３．適用例(図１８〜図２２)
【００１８】
＜実施の形態＞
（表示装置１の概略構成）
図１は、本発明の一実施の形態に係る表示装置１の概略構成を表したものである。この表示装置１は、表示パネル１０（表示部）と、表示パネル１０を駆動する駆動回路２０（駆動部）とを備えている。
【００１９】
表示パネル１０は、発光色の互いに異なる３種類の有機ＥＬ素子１１Ｒ，１１Ｇ，１１Ｂが２次元配置された表示領域１０Ａを有している。有機ＥＬ素子１１Ｒは赤色光を発する有機ＥＬ素子であり、有機ＥＬ素子１１Ｇは緑色光を発する有機ＥＬ素子であり、有機ＥＬ素子１１Ｂは青色光を発する有機ＥＬ素子である。なお、以下では、有機ＥＬ素子１１Ｒ，１１Ｇ，１１Ｂの総称として有機ＥＬ素子１１を適宜、用いるものとする。表示パネル１０は、また、発光色の互いに異なる３種類の有機ＥＬ素子１２Ｒ，１２Ｇ，１２Ｂ（発光素子）が配置された非表示領域１０Ｂを有している。有機ＥＬ素子１２Ｒは赤色光を発する有機ＥＬ素子であり、有機ＥＬ素子１２Ｇは緑色光を発する有機ＥＬ素子であり、有機ＥＬ素子１２Ｂは青色光を発する有機ＥＬ素子である。なお、以下では、有機ＥＬ素子１２Ｒ，１２Ｇ，１２Ｂの総称として有機ＥＬ素子１２を適宜、用いるものとする。このように、非表示領域１０Ｂには、表示領域１０Ａに設けられた有機ＥＬ素子１１と同一種類の色光を発する有機ＥＬ素子１２が設けられている。有機ＥＬ素子１２は、有機ＥＬ素子１１と同様の構造および材料によって構成されていることが好ましい。
【００２０】
駆動回路２０は、タイミング生成回路２１、映像信号処理回路２２、信号線駆動回路２３、書込線駆動回路２４、電源線駆動回路２５および電源電圧調整回路２６を有している。
【００２１】
（表示画素１５）
図２は、表示領域１０Ａ内の回路構成の一例を表したものである。表示領域１０Ａ内には、複数の画素回路１３が個々の有機ＥＬ素子１１と対となって２次元配置されている。なお、本実施の形態では、一対の有機ＥＬ素子１１および画素回路１３が１つのサブピクセル１４を構成している。より詳細には、図１に示したように、一対の有機ＥＬ素子１１Ｒおよび画素回路１３が１つのサブピクセル１４Ｒを構成し、一対の有機ＥＬ素子１１Ｇおよび画素回路１３が１つのサブピクセル１４Ｇを構成し、一対の有機ＥＬ素子１１Ｂおよび画素回路１３が１つのサブピクセル１４Ｂを構成している。さらに、互いに隣り合う３つのサブピクセル１４Ｒ，１４Ｇ，１４Ｂが１つの画素（表示画素１５）を構成している。
【００２２】
各画素回路１３は、例えば、駆動トランジスタＴｒ1、書き込みトランジスタＴｒ2および保持容量Ｃs1によって構成されたものであり、２Ｔｒ１Ｃの回路構成となっている。駆動トランジスタＴｒ1および書き込みトランジスタＴｒ2は、例えば、ｎチャネルＭＯＳ型の薄膜トランジスタ（ＴＦＴ（Thin Film Transistor））により形成されている。駆動トランジスタＴｒ1または書き込みトランジスタＴｒ2は、例えば、ｐチャネルＭＯＳ型のＴＦＴであってもよい。
【００２３】
表示領域１０Ａにおいて、列方向には信号線ＤＴＬが複数配置され、行方向には書込線ＷＳＬおよび電源線ＰＳＬ（電源電圧の供給される部材）がそれぞれ複数配置されている。各信号線ＤＴＬと各書込線ＷＳＬとの交差点近傍には、有機ＥＬ素子１１が１つずつ設けられている。各信号線ＤＴＬは、信号線駆動回路２３の出力端（図示せず）と、書き込みトランジスタＴｒ2のドレイン電極およびソース電極のいずれか一方（図示せず）に接続されている。各書込線ＷＳＬは、書込線駆動回路２４の出力端（図示せず）と、書き込みトランジスタＴｒ2のゲート電極（図示せず）に接続されている。各電源線ＰＳＬは、電源線駆動回路２５の出力端（図示せず）と、駆動トランジスタＴｒ1のドレイン電極およびソース電極のいずれか一方（図示せず）に接続されている。書き込みトランジスタＴｒ2のドレイン電極およびソース電極のうち信号線ＤＴＬに非接続の方（図示せず）は、駆動トランジスタＴｒ1のゲート電極（図示せず）と、保持容量Ｃs1の一端に接続されている。駆動トランジスタＴｒ1のドレイン電極およびソース電極のうち電源線ＰＳＬに非接続の方（図示せず）と保持容量Ｃs1の他端とが、有機ＥＬ素子１１のアノード電極（図示せず）に接続されている。有機ＥＬ素子１１のカソード電極（図示せず）は、例えば、グラウンド線ＧＮＤに接続されている。
【００２４】
（調整用画素１８）
図３は、非表示領域１０Ｂ内の回路構成の一例を表したものである。非表示領域１０Ｂには、３つの画素回路１６が個々の有機ＥＬ素子１２と対となって配置されている。なお、本実施の形態では、一対の有機ＥＬ素子１２および画素回路１６が１つのサブピクセル１７を構成している。より詳細には、図１に示したように、一対の有機ＥＬ素子１２Ｒおよび画素回路１３が１つのサブピクセル１７Ｒを構成し、一対の有機ＥＬ素子１２Ｇおよび画素回路１３が１つのサブピクセル１７Ｇを構成し、一対の有機ＥＬ素子１２Ｂおよび画素回路１３が１つのサブピクセル１７Ｂを構成している。さらに、互いに隣り合う３つのサブピクセル１７Ｒ，１７Ｇ，１７Ｂが１つの画素（調整用画素１８）を構成している。
【００２５】
画素回路１６は、上述の画素回路１３と同様の構成となっている。具体的には、画素回路１６は、駆動トランジスタＴｒ3、書き込みトランジスタＴｒ4および保持容量Ｃs2によって構成されたものであり、２Ｔｒ１Ｃの回路構成となっている。駆動トランジスタＴｒ3および書き込みトランジスタＴｒ4は、例えば、ｎチャネルＭＯＳ型のＴＦＴにより形成されている。駆動トランジスタＴｒ3または書き込みトランジスタＴｒ4は、例えば、ｐチャネルＭＯＳ型のＴＦＴであってもよい。
【００２６】
非表示領域１０Ｂにおいて、列方向には信号線ＤＴＬが１つ配置され、行方向には書込線ＷＳＬおよび電源線ＰＳＬがそれぞれ１つずつ配置されている。信号線ＤＴＬと書込線ＷＳＬとの交差点近傍には、有機ＥＬ素子１２が設けられている。信号線ＤＴＬは、信号線駆動回路２３の出力端（図示せず）と、書き込みトランジスタＴｒ4のドレイン電極およびソース電極のいずれか一方（図示せず）に接続されている。書込線ＷＳＬは、書込線駆動回路２４の出力端（図示せず）と、書き込みトランジスタＴｒ4のゲート電極（図示せず）に接続されている。各電源線ＰＳＬは、電源線駆動回路２５の出力端（図示せず）と、駆動トランジスタＴｒ3のドレイン電極およびソース電極のいずれか一方（図示せず）に接続されている。書き込みトランジスタＴｒ4のドレイン電極およびソース電極のうち信号線ＤＴＬに非接続の方（図示せず）は、駆動トランジスタＴｒ3のゲート電極（図示せず）と、保持容量Ｃs2の一端に接続されている。駆動トランジスタＴｒ3のドレイン電極およびソース電極のうち電源線ＰＳＬに非接続の方（図示せず）と保持容量Ｃs2の他端とが、有機ＥＬ素子１２のアノード電極（図示せず）に接続されている。有機ＥＬ素子１２のカソード電極（図示せず）は、例えば、グラウンド線ＧＮＤに接続されている。有機ＥＬ素子１２のアノード電極に、アノード信号線ＡＳＬの一端が接続されている。アノード信号線ＡＳＬの他端は、電源電圧調整回路２６に接続されている。
【００２７】
なお、サブピクセル１７Ｒに接続されたアノード信号線ＡＳＬをアノード信号線ＡＳＬ1と称し、サブピクセル１７Ｇに接続されたアノード信号線ＡＳＬをアノード信号線ＡＳＬ2と称しサブピクセル１７Ｂに接続されたアノード信号線ＡＳＬをアノード信号線ＡＳＬ3と称するものとする。また、これら３つのアノード信号線ＡＳＬ1，ＡＳＬ2，ＡＳＬ3の総称として、アノード信号線ＡＳＬを適宜、用いるものとする。
【００２８】
（表示パネル１０の上面構成）
図４は、表示パネル１０の上面構成の一例を表したものである。表示パネル１０は、例えば、駆動パネル３０と封止パネル４０とが封止層（図示せず）を介して貼り合わされた構造となっている。
【００２９】
駆動パネル３０は、図４には示していないが、表示領域１０Ａに、２次元配置された複数の有機ＥＬ素子１１と、各有機ＥＬ素子１１に隣接して配置された複数の画素回路１３とを有している。駆動パネル３０は、また、図４には示していないが、非表示領域１０Ｂに、２次元配置された３つの有機ＥＬ素子１２と、各有機ＥＬ素子１２に隣接して配置された３つの画素回路１６とを有している。
【００３０】
駆動パネル３０の一辺（長辺）には、例えば、図４に示したように、複数の映像信号供給ＴＡＢ５１と、アノード信号出力ＴＣＰ５４が取り付けられている。駆動パネル３０の他の辺（短辺）には、例えば、走査信号供給ＴＡＢ５２が取り付けられている。また、駆動パネル３０の短辺であって、かつ走査信号供給ＴＡＢ５２とは異なる辺には、例えば、電源電圧供給ＴＡＢ５３が取り付けられている。映像信号供給ＴＡＢ５１は、信号線駆動回路２３の集積されたＩＣをフィルム状の配線基板の開口に中空配線したものである。走査信号供給ＴＡＢ５２は、書込線駆動回路２４の集積されたＩＣをフィルム状の配線基板の開口に中空配線したものである。電源電圧供給ＴＡＢ５３は、電源線駆動回路２５の集積されたＩＣをフィルム状の配線基板の開口に中空配線したものである。電源電圧供給ＴＡＢ５３は、電源電圧調整回路２６の出力端（図示せず）に接続されている。アノード信号出力ＴＣＰ５４は、電源電圧調整回路２６の入力端（図示せず）に接続されている。なお、信号線駆動回路２３、書込線駆動回路２４および電源線駆動回路２５は、ＴＡＢに形成されていなくてもよく、例えば、駆動パネル３０に形成されていてもよい。
【００３１】
封止パネル４０は、例えば、有機ＥＬ素子１１，１２を封止する封止基板（図示せず）と、カラーフィルタ（図示せず）とを有している。カラーフィルタは、例えば、封止基板の表面のうち有機ＥＬ素子１１の光が通過する領域に設けられている。カラーフィルタは、例えば、有機ＥＬ素子１１Ｒ，１１Ｇ，１１Ｂのそれぞれに対応して、赤色用のフィルタ、緑色用のフィルタおよび青色用のフィルタ（図示せず）を有している。
【００３２】
（駆動回路２０）
次に、駆動回路２０内の各回路について、図１を参照して説明する。タイミング生成回路２１は、映像信号処理回路２２、信号線駆動回路２３、書込線駆動回路２４、電源線駆動回路２５および電源電圧調整回路２６が連動して動作するように制御するものである。
【００３３】
タイミング生成回路２１は、例えば、外部から入力された同期信号２０Ｂに応じて（同期して）、上述した各回路に対して制御信号２１Ａを出力するようになっている。タイミング生成回路２１は、例えば、映像信号処理回路２２および電源電圧調整回路２６などと共に、例えば、表示パネル１０とは別体の制御回路基板（図示せず）上に形成されている。
【００３４】
映像信号処理回路２２は、例えば、外部から入力された同期信号２０Ｂに応じて（同期して）、外部から入力されたデジタルの映像信号２０Ａを補正すると共に、補正した後の映像信号をアナログに変換して、アナログの映像信号２２Ａとして信号線駆動回路２３に出力するものである。
【００３５】
映像信号処理回路２２は、１フィールドの映像信号２０Ａ（または補正した後の映像信号）の中で最大輝度となる映像信号を抽出し、抽出した映像信号を調整用画素１８用の映像信号として、信号線駆動回路２３に出力するようになっている。映像信号処理回路２２は、例えば、１フィールドの映像信号２０Ａの中で最大輝度となる映像信号２０Ａを１水平期間ごとに抽出するようになっている。映像信号処理回路２２は、最大輝度となる映像信号の抽出を発光色ごとに行うようになっている。
【００３６】
具体的には、映像信号処理回路２２は、１フィールドの赤色の映像信号２０Ａ（または補正した後の映像信号）の中で最大輝度となる映像信号（最大赤色映像信号）を抽出し、抽出した映像信号をサブピクセル１７Ｒ用の映像信号として、信号線駆動回路２３に出力するようになっている。また、映像信号処理回路２２は、１フィールドの緑色の映像信号２０Ａ（または補正した後の映像信号）の中で最大輝度となる映像信号（最大緑色映像信号）を抽出し、抽出した映像信号をサブピクセル１７Ｇ用の映像信号として、信号線駆動回路２３に出力するようになっている。また、映像信号処理回路２２は、１フィールドの青色の映像信号２０Ａ（または補正した後の映像信号）の中で最大輝度となる映像信号（最大青色映像信号）を抽出し、抽出した映像信号をサブピクセル１７Ｂ用の映像信号として、信号線駆動回路２３に出力するようになっている。
【００３７】
信号線駆動回路２３は、映像信号処理回路２２から入力されたアナログの映像信号２２Ａを、制御信号２１Ａの入力に応じて（同期して）各信号線ＤＴＬに出力するものである。信号線駆動回路２３は、表示画素１５に対応する信号線ＤＴＬに対しては、映像信号処理回路２２で補正処理のなされた映像信号２２Ａを出力するようになっている。信号線駆動回路２３は、調整用画素１８に対応する信号線ＤＴＬに対しては、映像信号処理回路２２で抽出された最大輝度となる映像信号２２Ａを出力するようになっている。具体的には、信号線駆動回路２３は、サブピクセル１７Ｒに対応する信号線ＤＴＬに対しては、映像信号２２Ａとして最大赤色映像信号を出力するようになっている。また、信号線駆動回路２３は、サブピクセル１７Ｇに対応する信号線ＤＴＬに対しては、映像信号２２Ａとして最大緑色映像信号を出力するようになっている。また、信号線駆動回路２３は、サブピクセル１７Ｂに対応する信号線ＤＴＬに対しては、映像信号２２Ａとして最大青色映像信号を出力するようになっている。つまり、信号線駆動回路２３は、アナログの映像信号２２Ａ（信号電圧）を、各表示画素１５内の駆動トランジスタＴｒ1および調整用画素１８内の駆動トランジスタＴｒ3のゲートに書き込むようになっている。信号線駆動回路２３は、例えば、図４に示したように、駆動パネル３０の一辺（長辺）に取り付けられた映像信号供給ＴＡＢ５１に設けられている。
【００３８】
書込線駆動回路２４は、制御信号２１Ａの入力に応じて（同期して）、複数の書込線ＷＳＬの中から一の書込線ＷＳＬを順次選択するものである。書込線駆動回路２４は、例えば、図４に示したように、駆動パネル３０の他の辺（短辺）に取り付けられた走査信号供給ＴＡＢ５２に設けられている。
【００３９】
電源線駆動回路２５は、制御信号２１Ａの入力に応じて（同期して）、複数の電源線ＰＳＬに、電源電圧調整回路２６から出力された電源電圧Ｖccの値に応じた値の電源電圧を順次印加して、有機ＥＬ素子１１，１２の発光および消光を制御するものである。
【００４０】
電源線駆動回路２５は、例えば、図５に示したように、個々の電源線ＰＳＬごとに設けられた電源電圧伝播線ＰＤＬと、グラウンド線ＧＮＤとの間に、互いに直列に接続されたスイッチング用のトランジスタＴｒ5，Ｔｒ6を有している。トランジスタＴｒ5とトランジスタＴｒ6との接続点に電源線ＰＳＬが接続されており、トランジスタＴｒ5，Ｔｒ6の双方のゲートが制御線ＣＮＬに接続されている。制御線ＣＮＬには、電源電圧Ｖccを所望の期間だけ電源線ＰＳＬに印加するための制御信号が入力される。
【００４１】
電源電圧調整回路２６は、制御信号２１Ａの入力に応じて（同期して）、調整用画素１８に含まれる３つの有機ＥＬ素子１２の電圧変動に応じた値の電源電圧を発生させるものである。電源電圧調整回路２６は、例えば、図６に示したように、３つのＡＤＣ（Analog Digital Converter）３１と、記憶部３２と、比較部３３と、電圧発生部３４とを有している。
【００４２】
各ＡＤＣ３１の入力端（図示せず）は、図３、図６に示したように、アノード信号線ＡＳＬに接続されている。具体的には、１つ目のＡＤＣ３１の入力端は、サブピクセル１７Ｒに接続されたアノード信号線ＡＳＬ1に接続されている。２つ目のＡＤＣ３１の入力端は、サブピクセル１７Ｇに接続されたアノード信号線ＡＳＬ2に接続されている。３つ目のＡＤＣ３１の入力端は、サブピクセル１７Ｂに接続されたアノード信号線ＡＳＬ3に接続されている。そして、各ＡＤＣ３１の出力端（図示せず）と、記憶部３２の出力端（図示せず）とが比較部３３の入力端（図示せず）に接続されている。比較部３３の出力端（図示せず）は電圧発生部３４の入力端（図示せず）に接続されており、電圧発生部３４の出力端（図示せず）が電源電圧伝播線ＰＤＬに接続されている。
【００４３】
各ＡＤＣ３１は、入力されたアナログ信号（アノードの電圧Ｖel（Ｖel（Ｒ），Ｖel（Ｇ），Ｖel（Ｂ）））をデジタル信号に変換するものである。記憶部３２は、有機ＥＬ素子１２（１２Ｒ，１２Ｇ，１２Ｂ）の初期電圧Ｖini（Ｖini（Ｒ），Ｖini（Ｇ），Ｖini（Ｂ））（基準電圧）を記憶している。比較部３３は、各ＡＤＣ３１から入力されたデジタル信号（アノードの電圧Ｖel（Ｖel（Ｒ），Ｖel（Ｇ），Ｖel（Ｂ）））と、記憶部３２から読み出した初期電圧Ｖini（Ｖini（Ｒ），Ｖini（Ｇ），Ｖini（Ｂ））とを対比することにより、有機ＥＬ素子１２（１２Ｒ，１２Ｇ，１２Ｂ）の電圧変動量ΔＶ（ΔＶR，ΔＶG，ΔＶB）を導出するようになっている。
【００４４】
具体的には、比較部３３は、アノードの電圧Ｖel（Ｒ）と初期電圧Ｖini（Ｒ）との差分を取ることにより、アノードの電圧Ｖel（Ｒ）の電圧変動量ΔＶR（＝Ｖel（Ｒ）−Ｖini（Ｒ））を導出するようになっている。また、比較部３３は、アノードの電圧Ｖel（Ｇ）と初期電圧Ｖini（Ｇ）との差分を取ることにより、アノードの電圧Ｖel（Ｇ）の電圧変動量ΔＶG（＝Ｖel（Ｇ）−Ｖini（Ｇ））を導出するようになっている。また、比較部３３は、アノードの電圧Ｖel（Ｂ）と初期電圧Ｖini（Ｂ）との差分を取ることにより、アノードの電圧Ｖel（Ｂ）の電圧変動量ΔＶB（＝Ｖel（Ｂ）−Ｖini（Ｂ））を導出するようになっている。
【００４５】
電圧発生部３４は、電圧変動量ΔＶ（ΔＶR，ΔＶG，ΔＶB）を用いて各表示画素１５に印加する電源電圧値を導出し、導出した電源電圧値の電源電圧Ｖcc（Ｖcc（Ｒ），Ｖcc（Ｇ），Ｖcc（Ｂ））のうち最も大きな電圧Ｖccを、各表示画素１５（各電源電圧伝播線ＰＤＬ）に印加するようになっている。具体的には、電圧発生部３４は、電圧変動量ΔＶ（ΔＶR，ΔＶG，ΔＶB）を用いて、駆動トランジスタＴｒ1を飽和領域で駆動させるのに必要な電源電圧値を導出し、導出した電源電圧値の電源電圧Ｖccのうち最も大きな電圧Ｖccを、各表示画素１５（各電源電圧伝播線ＰＤＬ）に印加するようになっている。なお、電圧発生部３４は、電圧変動量ΔＶ（ΔＶR，ΔＶG，ΔＶB）を用いて調整用画素１８に印加する電源電圧値を導出し、導出した電源電圧値の電源電圧Ｖccを、調整用画素１８（電源電圧伝播線ＰＤＬ）に印加するようになっていてもよい。
【００４６】
ここで、飽和領域とは、例えば、図７に示したように、有機ＥＬ素子１１に流れる電流Ｉdsが駆動トランジスタＴｒ1のドレイン−ソース間電圧Ｖdsの値に依らず一定となっている領域を指している。なお、飽和領域において、電流Ｉdsが駆動トランジスタＴｒ1のドレイン−ソース間電圧Ｖdsの値に依らず完全に一定となっている必要はない。飽和領域は、電流Ｉdsが駆動トランジスタＴｒ1のドレイン−ソース間電圧Ｖdsの値に依って大きく変動する線形領域と比べて電流Ｉdsの変化率が緩やかな領域も含んでいる。
【００４７】
（表示装置１の動作）
次に、本実施の形態の表示装置１の動作の一例について説明する。まず、表示装置１に対して外部から映像信号２０Ａおよび同期信号２０Ｂが入力される。すると、タイミング生成回路２１から駆動回路２０内の各回路に対して制御信号２１Ａが出力され、その制御信号２１Ａの指示に従って、駆動回路２０内の各回路が動作する。具体的には、映像信号処理回路２２において映像信号２２Ａが生成され、生成された映像信号２２Ａが信号線駆動回路２３によって各信号線ＤＴＬに出力されると同時に、書込線駆動回路２４によって複数の書込線ＷＳＬの中から一の書込線ＷＳＬが順次選択される。さらに、映像信号処理回路２２において調整用画素１８用の映像信号が生成され、生成された調整用画素１８用の映像信号が調整用画素１８用の信号線ＤＴＬに出力されると同時に、書込線駆動回路２４によって調整用画素１８用の書込線ＷＳＬが選択される。調整用画素１８に含まれる有機ＥＬ素子１２の電圧変動に応じた値の電源電圧が電源電圧調整回路２６から電源電圧伝播線ＰＤＬに出力され、電源電圧伝播線ＰＤＬに出力された電源電圧が電源線駆動回路２５によって複数の電源線ＰＳＬに順次印加される。これにより、各表示画素１５および調整用画素１８が駆動され、表示領域１０Ａに映像が表示される。
【００４８】
（表示装置１の効果）
次に、本実施の形態の表示装置１の効果について説明する。図７に示したように、飽和領域の下端は、階調ごとに異なっており、階調が低くなる程、飽和領域の下端が、駆動トランジスタＴｒ1のドレイン−ソース間電圧Ｖdsが小さくなる方へ変位する。そのため、有機ＥＬ素子１１の初期のＩ−Ｖ特性が図中の曲線Ａとなっていたとすると、階調が高くなる程、動作点（黒丸）が飽和領域の下端に近づく傾向となっており、階調が高くなる程、動作点（黒丸）と飽和領域の下端とのマージンが小さくなる傾向となっている。従って、有機ＥＬ素子１１のＩ−Ｖ特性が変位したときに、変位した後のＩ−Ｖ特性が図中の曲線Ｂとなったとすると、中間階調や低階調においては動作点がまだ飽和領域に入っているが、高階調において動作点が線形領域に入る。
【００４９】
このとき、仮に、１水平期間後に各表示画素１５に印加される映像信号２２Ａ（１フィールドの映像信号）の値に拘わらず、高階調において動作点が線形領域に入るように、電圧発生部３４が、電源電圧Ｖccの値を設定したとする。１水平期間後に各表示画素１５に印加される映像信号２２Ａ（１フィールドの映像信号）に高階調に対応する値が含まれている場合（例えば、図８（Ａ）参照）には、全ての表示画素１５において駆動トランジスタＴｒ1を飽和領域で駆動させることが可能となる。一方、１水平期間後に各表示画素１５に印加される映像信号２２Ａ（１フィールドの映像信号）に高階調に対応する値が含まれていない場合（例えば、図８（Ｂ），（Ｃ）参照）にも、全ての表示画素１５において駆動トランジスタＴｒ1を飽和領域で駆動させることが可能ではある。しかし、図７に示したように、中間階調や低階調においては、動作点が飽和領域の下端（Ｖds＝Ｖgs−Ｖth）からかなり離れてしまうので、その分だけ電源電圧Ｖccの値が余分に大きくなっている。つまり、この場合には、消費電力が余分に大きくなっていると言える。
【００５０】
一方、本実施の形態では、電圧発生部３４において、各表示画素１５に含まれる駆動トランジスタＴｒ1において、動作点が常に飽和領域内となるのに必要な電源電圧Ｖccの値（または、動作点が常に飽和領域内となるのに必要な最低限の電源電圧Ｖccの値）が設定される。さらに、電圧発生部３４において、動作点が常に飽和領域内となるのに必要な電源電圧Ｖccの値（または、動作点が常に飽和領域内となるのに必要な最低限の電源電圧Ｖccの値）が発光色ごとに求められ、その中で最も大きな値が最新の電源電圧Ｖccとして設定される。
【００５１】
例えば、１水平期間後に各サブピクセル１４Ｒに印加される映像信号２２Ａ（１フィールドの映像信号）中で最大輝度となる映像信号（最大赤色映像信号）が印加されるサブピクセル１４Ｒ内の駆動トランジスタＴｒ1において、動作点が飽和領域の下端となるように電源電圧Ｖcc（Ｒ）の値が求められる。すなわち、１水平期間後に各サブピクセル１４Ｒに印加される映像信号２２Ａ（１フィールドの映像信号）中で最大輝度となる映像信号（最大赤色映像信号）が印加されるサブピクセル１４Ｒ内の有機ＥＬ素子１１のアノードの電圧Ｖelと、駆動トランジスタＴｒ1のドレイン−ソース間電圧Ｖdsとの和（Ｖel＋Ｖds）をとることにより、電源電圧Ｖcc（Ｒ）の値が求められる。
【００５２】
また、１水平期間後に各サブピクセル１４Ｇに印加される映像信号２２Ａ（１フィールドの映像信号）中で最大輝度となる映像信号（最大緑色映像信号）が印加されるサブピクセル１４Ｇ内の駆動トランジスタＴｒ1において、動作点が飽和領域の下端となるように電源電圧Ｖcc（Ｇ）の値が求められる。すなわち、１水平期間後に各サブピクセル１４Ｇに印加される映像信号２２Ａ（１フィールドの映像信号）中で最大輝度となる映像信号（最大緑色映像信号）が印加されるサブピクセル１４Ｇ内の有機ＥＬ素子１１のアノードの電圧Ｖelと、駆動トランジスタＴｒ1のドレイン−ソース間電圧Ｖdsとの和（Ｖel＋Ｖds）をとることにより、電源電圧Ｖcc（Ｇ）の値が求められる。
【００５３】
さらに、１水平期間後に各サブピクセル１４Ｂに印加される映像信号２２Ａ（１フィールドの映像信号）中で最大輝度となる映像信号（最大青色映像信号）が印加されるサブピクセル１４Ｂ内の駆動トランジスタＴｒ1において、動作点が飽和領域の下端となるように電源電圧Ｖcc（Ｂ）の値が求められる。すなわち、１水平期間後に各サブピクセル１４Ｂに印加される映像信号２２Ａ（１フィールドの映像信号）中で最大輝度となる映像信号（最大青色映像信号）が印加されるサブピクセル１４Ｂ内の有機ＥＬ素子１１のアノードの電圧Ｖelと、駆動トランジスタＴｒ1のドレイン−ソース間電圧Ｖdsとの和（Ｖel＋Ｖds）をとることにより、電源電圧Ｖcc（Ｂ）の値が求められる。
【００５４】
その後、電源電圧Ｖcc（Ｒ），Ｖcc（Ｇ），Ｖcc（Ｂ）の中で最も大きな値が最新の電源電圧Ｖccとして設定される。
【００５５】
実際には、以下のようにして、最新の電源電圧Ｖccが設定される。例えば、まず、初期に設定したサブピクセル１４Ｒの電源電圧Ｖcc（Ｒ０）（＝Ｖel（Ｒ０）＋Ｖds（０））に、電圧変動量ΔＶ（Ｒ）を加えることにより、電源電圧Ｖcc（Ｒ）（＝Ｖcc（Ｒ０）＋ΔＶ（Ｒ））が導出される。同様にして、初期に設定したサブピクセル１４Ｇの電源電圧Ｖcc（Ｇ０）（＝Ｖel（Ｇ０）＋Ｖds（０））に、電圧変動量ΔＶ（Ｇ）を加えることにより、電源電圧Ｖcc（Ｇ）（＝Ｖcc（Ｇ０）＋ΔＶ（Ｇ））が導出される。初期に設定したサブピクセル１４Ｂの電源電圧Ｖcc（Ｂ０）（＝Ｖel（Ｂ０）＋Ｖds（０））に、電圧変動量ΔＶ（Ｂ）を加えることにより、電源電圧Ｖcc（Ｂ）（＝Ｖcc（Ｂ０）＋ΔＶ（Ｂ））が導出される。その後、電源電圧Ｖcc（Ｒ），Ｖcc（Ｇ），Ｖcc（Ｂ）の中で最も大きな値が、最新の電源電圧Ｖccとして設定される。
【００５６】
なお、Ｖel（Ｒ０）は、有機ＥＬ素子１１Ｒの初期の電圧Ｖelであり、Ｖel（Ｇ０）は、有機ＥＬ素子１１Ｇの初期の電圧Ｖelであり、Ｖel（Ｂ０）は、有機ＥＬ素子１１Ｂの初期の電圧Ｖelである。また、Ｖds（０）は、駆動トランジスタＴｒ1の初期のドレイン−ソース間電圧Ｖdsである。
【００５７】
例えば、図９に示したように、初期において、有機ＥＬ素子１１Ｒのアノードの電圧Ｖel（＝Ｖel（Ｒ０））が６Ｖ、駆動トランジスタＴｒ1のドレイン−ソース間電圧Ｖds（＝Ｖds（０））が３Ｖ、電源電圧Ｖcc (＝Ｖcc（Ｒ０）)が９Ｖとなっていたとする。その後、有機ＥＬ素子１１ＲのＩ−Ｖ特性が変化し、有機ＥＬ素子１１Ｒのアノードの電圧Ｖelが７Ｖになったとする。このとき、本実施の形態では、例えば、ΔＶ（Ｒ）が、最大階調において動作点が飽和領域の下端となるときの値（例えば、３Ｖ）に設定されず、１水平期間後に各サブピクセル１４Ｒに印加される映像信号２２Ａ（１フィールドの映像信号）中で最大輝度となる映像信号（最大赤色映像信号）が印加されるサブピクセル１４Ｒ内の駆動トランジスタＴｒ1において、動作点が飽和領域の下端となるようにΔＶ（Ｒ）の値が設定される。例えば、最大赤色映像信号がサブピクセル１７Ｒに対応する信号線ＤＴＬに出力されているときに得られた電圧変動量ΔＶ（Ｒ）の値（例えば、１Ｖ）がΔＶ（Ｒ）の値として設定される。その後、ΔＶ（Ｒ）がＶcc（Ｒ０）に加えられ、１０Ｖが新たな電源電圧Ｖcc の値に設定される。このように、本実施の形態では、最大階調において動作点が飽和領域の下端となるように電源電圧Ｖccの値を設定した場合と比べて、中間階調や低階調において、電源電圧Ｖccの値を小さくすることができる。従って、中間階調や低階調において、消費電力を低く抑えることができる。
【００５８】
ところで、図７に示したように、有機ＥＬ素子１１のＩ−Ｖ特性が変位したときに、変位した後のＩ−Ｖ特性が図中の曲線Ｂとなるのは、例えば、パネル温度が低くなったとき（図１０参照）や、有機ＥＬ素子１１の通電時間が長くなったとき（図１１参照）である。従って、本実施の形態の駆動方法は、パネル温度が低くなったときや、有機ＥＬ素子１１の通電時間が長くなったときに、特に有効である。
【００５９】
＜変形例＞
上記実施の形態では、それぞれのサブピクセル１７にアノード線ＡＳＬが１つずつ接続され、それぞれのアノード線ＡＳＬにＡＤＣ３１が１つずつ接続されていた。つまり、上記実施の形態では、３つのアノード線ＡＳＬが設けられていた。しかし、アノード線ＡＳＬの数はそれに限られるものではない。例えば、アノード線ＡＳＬの数は１つであってもよい。このときのサブピクセル１７とＡＤＣ３１との接続態様は、例えば、図１２に示したようになる。すなわち、アノード線ＡＳＬの一端が３つに分枝されており、アノード線ＡＳＬの一端側のそれぞれの枝が１つずつサブピクセル１７のアノードに接続されている。さらに、アノード線ＡＳＬの他端が電源電圧調整回路２６に接続されている。これにより、例えば、図１３に示したように、電源電圧調整回路２６内のＡＤＣ３１の数をアノード線ＡＳＬの数と同様、１つにすることができるので、部品コストを低減することができる。
【００６０】
ただし、この場合には、各サブピクセル１７のアノードの電圧Ｖelを１つのＡＤＣ３１で検出することができるようにするために、例えば、図１４に示したように、アノード線ＡＳＬのそれぞれの枝に、スイッチング用のトランジスタＴｒ5が設けられていることが好ましい。各トランジスタＴｒ5は、それぞれのトランジスタＴｒ5のゲートに接続された制御線ＣＮＬ２を介してタイミング生成回路２１の制御信号によってオンオフ制御される。各トランジスタＴｒ5は、順次オンオフされることが好ましい。
【００６１】
また、上記実施の形態では、一の表示画素１５に含まれる各サブピクセル１４が共通の電源線ＰＳＬに接続されていたが、例えば、図１５、図１６に示したように、別個の電源線ＰＳＬ（ＰＳＬ（Ｒ），ＰＳＬ（Ｇ），ＰＳＬ（Ｂ））に１つずつ接続されていてもよい。そのようにした場合には、電圧発生部３４は、電圧変動量ΔＶ（ΔＶR，ΔＶG，ΔＶB）を用いて各表示画素１５に印加する電源電圧値を導出したら、導出した電源電圧値の電源電圧Ｖcc（Ｖcc（Ｒ），Ｖcc（Ｇ），Ｖcc（Ｂ））を全て、電源線駆動回路２５に出力すればよい。このとき、例えば、図１７に示したように、電源電圧Ｖcc（Ｒ）が電源電圧伝播線ＰＤＬ（Ｒ）を介して電源線駆動回路２５に入力される。同様に、電源電圧Ｖcc（Ｇ）が電源電圧伝播線ＰＤＬ（Ｇ）を介して電源線駆動回路２５に入力され、電源電圧Ｖcc（Ｂ）が電源電圧伝播線ＰＤＬ（Ｂ）を介して電源線駆動回路２５に入力される。
【００６２】
電源線駆動回路２５には、例えば、図１７に示したように、電源電圧伝播線ＰＤＬ（Ｒ），ＰＤＬ（Ｇ），ＰＤＬ（Ｂ）ごとにスイッチング用のトランジスタＴｒ5，Ｔｒ6が設けられている。さらに、トランジスタＴｒ5，Ｔｒ6ごとに電源線ＰＳＬ（ＰＳＬ（Ｒ），ＰＳＬ（Ｇ），ＰＳＬ（Ｂ））が接続されており、各トランジスタＴｒ5，Ｔｒ6のゲートに共通の制御線ＣＮＬ１が接続されている。これにより、電源線駆動回路２５は、サブピクセル１４Ｒに対して電源電圧Ｖcc（Ｒ）を印加することができる。同様に、電源線駆動回路２５は、サブピクセル１４Ｇに対して電源電圧Ｖcc（Ｇ）を印加することができ、サブピクセル１４Ｂに対して電源電圧Ｖcc（Ｂ）を印加することができる。その結果、上記実施の形態の場合よりも、さらに消費電力を低く抑えることができる。
【００６３】
また、上記実施の形態では、調整用画素１８は１つだけ設けられていたが、複数設けられていてもよい。また、調整用画素１８は非表示領域１０Ｂに設けられていたが、表示領域１０Ａ内に設けられていてもよい。このとき、調整用画素１８が表示領域１０Ａ内の一の表示画素１５またはサブピクセル１４であってもよい。
【００６４】
また、上記実施の形態では、複数の電源線ＰＳＬが互いに電気的に分離して設けられており、電源線駆動回路２５によって複数の電源線ＰＳＬが順次走査されている場合が例示されていたが、全ての電源線ＰＳＬに対して固定電圧が印加されるようになっていてもよい。この場合には、電源電圧調整回路２６の出力端が直接、各電源線ＰＳＬに接続されていてもよい。ただし、その場合には、電源線駆動回路２５の出力端を各電源線ＰＳＬから切り離し、画素回路１３，１６の内部構成を上で例示したものと異ならせてもよい。
【００６５】
また、上記実施の形態では、電源電圧Ｖccが調整されていたが、有機ＥＬ素子１１のカソード電圧が調整されてもよい。
【００６６】
＜適用例＞
以下、上記実施の形態およびその変形例で説明した表示装置１の適用例について説明する。上記実施の形態等の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００６７】
（適用例１）
図１８は、上記実施の形態の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態等の表示装置１により構成されている。
【００６８】
（適用例２）
図１９は、上記実施の形態等の表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態等の表示装置１により構成されている。
【００６９】
（適用例３）
図２０は、上記実施の形態等の表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等の表示装置１により構成されている。
【００７０】
（適用例４）
図２１は、上記実施の形態等の表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態等の表示装置１により構成されている。
【００７１】
（適用例５）
図２２は、上記実施の形態等の表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等の表示装置１により構成されている。
【符号の説明】
【００７２】
１…表示装置、１０…表示パネル、１０Ａ…表示領域、１０Ｂ…非表示領域、１１，１１Ｒ，１１Ｇ，１１Ｂ，１２，１２Ｒ，１２Ｇ，１２Ｂ…有機ＥＬ素子、１３，１６…画素回路、１４，１４Ｒ，１４Ｇ，１４Ｂ，１７，１７Ｒ，１７Ｇ，１７Ｂ…サブピクセル、１５…表示画素、１８…調整用画素、２０…駆動回路、２０Ａ，２２Ａ…映像信号、２０Ｂ…同期信号、２１…タイミング生成回路、２１Ａ…制御信号、２２…映像信号処理回路、２３…信号線駆動回路、２４…書込線駆動回路、２５…電源線駆動回路、２６…電源電圧調整回路、３０…駆動パネル、３１…ＡＤＣ、３２…記憶部、３３…比較部、３４…電圧発生部、４０…封止パネル、５１…映像信号供給ＴＡＢ、５２…走査信号供給ＴＡＢ、５３…電源電圧供給ＴＡＢ、５４…アノード信号出力ＴＣＰ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ａ，Ｂ…曲線、ＡＳＬ…アノード信号線、Ｃs1，Ｃs2…保持容量、ＣＮＬ…制御線、ＤＴＬ…信号線、ＧＮＤ…グラウンド線、Ｉds…電流、ＰＤＬ…電源電圧伝播線、ＰＳＬ…電源線、Ｔｒ1，Ｔｒ3…駆動トランジスタ、Ｔｒ2，Ｔｒ4…書き込みトランジスタ、Ｔｒ5，Ｔｒ6…トランジスタ、Ｖcc，Ｖcc（Ｒ０）…電源電圧、Ｖds，Ｖds（０）…ドレイン−ソース間電圧、Ｖel，Ｖel（Ｒ０）…電圧、Ｖini…初期電圧、ＷＳＬ…書込線、ΔＶ…電圧変動量。
【図１】
2011123213.tif 000003
【図２】
2011123213.tif 000004
【図３】
2011123213.tif 000005
【図４】
2011123213.tif 000006
【図５】
2011123213.tif 000007
【図６】
2011123213.tif 000008
【図７】
2011123213.tif 000009
【図８】
2011123213.tif 000010
【図９】
2011123213.tif 000011
【図１０】
2011123213.tif 000012
【図１１】
2011123213.tif 000013
【図１２】
2011123213.tif 000014
【図１３】
2011123213.tif 000015
【図１４】
2011123213.tif 000016
【図１５】
2011123213.tif 000017
【図１６】
2011123213.tif 000018
【図１７】
2011123213.tif 000019
【図１８】
2011123213.tif 000020
【図１９】
2011123213.tif 000021
【図２０】
2011123213.tif 000022
【図２１】
2011123213.tif 000023
【図２２】
2011123213.tif 000024